(57)【要約】【課題】エリアワンセグシステムにおいては、視聴者が番組を選択することを可能にするために、受信端末がどの周波数でどういった番組が放送されているかをリアルタイムに把握し、当該番組情報を視聴者に提供する必要がある。【解決手段】空き周波数を探索する周波数サーチ装置と前記空き周波数で放送する番組リストを作成する放送管理装置を有する中継装置と、視聴者に前記番組リストを提示する手段を有する受信端末と、から成ることを特徴とするエリアワンセグ放送システム。【選択図】図２
2012085099.tif 000002
【特許請求の範囲】
【請求項１】
空き周波数を探索する周波数サーチ装置と前記空き周波数で放送する番組リストを作成する放送管理装置を有する中継装置と、
視聴者に前記番組リストを提示する手段を有する受信端末と、
から成ることを特徴とするエリアワンセグ放送システム。
【請求項２】
前記中継装置は、放送局が送信した任意の周波数の放送信号を、前記空き周波数に周波数変換して中継することを特徴とする請求項１に記載のエリアワンセグ放送システム。
【請求項３】
前記番組リストを提示する手段は、前記放送管理装置と通信することによって番組リストを取得する放送アプリケーションを受信端末に有し、視聴者は該放送アプリケーションを起動することによって視聴可能な番組リストを閲覧し、番組を選択することによって番組を視聴できることを特徴とする請求項１乃至請求項２のいずれか一項に記載のエリアワンセグ放送システム。
【請求項４】
前記番組リストを提示する手段は、前記放送管理装置が有する番組リストを受信端末の予め定めたチャンネルにおけるデータ放送エリアに表示し、視聴者は該データ放送エリアにおいて番組を選択することによって番組を視聴できることを特徴とする請求項１乃至請求項２のいずれか一項に記載のエリアワンセグ放送システム。
【請求項５】
前記番組リストの変化を監視することにより、前記中継装置による放送周波数の変化を検知し、放送波の受信周波数を追随させる番組ロックモードを有することを特徴とする請求項１乃至請求項４のいずれか一項に記載のエリアワンセグ放送システム。
【発明の詳細な説明】
【技術分野】
【０００１】
本発明は、デジタルテレビジョン放送における送信装置と受信装置に関する放送自動検知方式に係り、特に、放送エリアを限定して利用者に提供される放送波の放送自動検知方式に関する。
【背景技術】
【０００２】
放送メディアのデジタル化に伴い、地上デジタルテレビジョン放送やＢＳデジタルテレビジョン放送や、あるいはケーブルデジタル放送などが普及しつつある。こういったデジタルテレビジョン放送では放送局側の送出情報として、他局の情報を送出しないことが想定される。従って、デジタルテレビジョン放送受信装置では、視聴する地点での全チャンネルのサーチを行い、デジタルテレビジョン放送が受信可能なチャンネルリストを構築する必要がある。
【０００３】
前記チャンネルリスト構築において、番組名のみではなく、その内容なども取得し、該情報をチャンネルボタンに表示する技術が提案されている（特許文献１）。
【０００４】
また、前記チャンネルリストの構築を高速で行うために、ＴＳ受信によるチャンネルの受信不可の判断を行う前にデジタルテレビジョン放送の信号有無の検出を行い、当該信号が検出されなかった場合にチャンネル受信不可と判断する、といった提案が為されている（特許文献２）。
【０００５】
また、前記チャンネルリストの構築にあたり、視聴者がリストを閲覧して視聴する放送局を決定する際に、該チャンネルリストにＣＭ放送中の放送局を含めないための技術も提案されている（特許文献３）。
【先行技術文献】
【特許文献】
【０００６】
【特許文献１】特開平９−１５４０７６号公報
【特許文献２】特開２００４−２８２２１１号公報
【特許文献３】特開平８−２０５０４０号公報
【発明の概要】
【発明が解決しようとする課題】
【０００７】
しかるに前記いずれの従来手段においても、既存の放送局による予め定められた周波数での放送に対して為される番組サーチであり、エリア限定ワンセグ放送（以下エリアワンセグと呼ぶ）のようなローカルな放送においては、その時点でどういった放送局が放送波を送出しているかを把握できないため、効果を発揮しないものであった。
【０００８】
エリアワンセグは例えば商店街やコンサート会場などの極限られたエリアにおいて、放送免許が不要な程度の微弱電波でワンセグ放送をするものであり、使用されていない周波数を用いて携帯端末等のワンセグ受信機向けにサービスされている。
【０００９】
従って、前記エリアワンセグにおいては、受信端末が、どの周波数でどういった番組が放送されているかをリアルタイムで把握し、番組情報を視聴者が閲覧できるようにする必要がある。本発明はこういった要求を実現するものであり、視聴者がエリアワンセグを容易に視聴するためのシステムを提案するものである。
【課題を解決するための手段】
【００１０】
前記課題を解決するために本発明は次のような手段をとる。つまり、
空き周波数を探索する周波数サーチ装置と前記空き周波数で放送する番組リストを作成する放送管理装置を有する中継装置と、
視聴者に前記番組リストを提示する手段を有する受信端末と、
から成ることを特徴とするエリアワンセグ放送システムである。
【００１１】
また本発明は、前記中継装置は、放送局が送信した任意の周波数の放送信号を、前記空き周波数に周波数変換して中継することを特徴とするエリアワンセグ放送システムである。
【００１２】
また本発明は、前記番組リストを提示する手段は、前記放送管理装置と通信することによって番組リストを取得する放送アプリケーションを受信端末に有し、視聴者は該放送アプリケーションを起動することによって視聴可能な番組リストを閲覧し、番組を選択することによって番組を視聴できることを特徴とするエリアワンセグ放送システムである。
【００１３】
また本発明は、前記番組リストを提示する手段は、前記放送管理装置が有する番組リストを受信端末の予め定めたチャンネルにおけるデータ放送エリアに表示し、視聴者は該データ放送エリアにおいて番組を選択することによって番組を視聴できることを特徴とするエリアワンセグ放送システムである。
【００１４】
また本発明は、前記番組リストの変化を監視することにより、前記中継装置による放送周波数の変化を検知し、放送波の受信周波数を追随させる番組ロックモードを有することを特徴とするエリアワンセグ放送システムである。
【発明の効果】
【００１５】
本発明によれば、エリアワンセグの放送局は予め定めた周波数を用いて任意の有線あるいは無線信号で番組を送信でき、エリアワンセグの放送エリア内の放送電波送信機（中継局）が空き周波数を探索してワンセグ放送波を送信することになる。
【００１６】
そして視聴する携帯端末等のワンセグ受信機は各エリアワンセグの放送周波数を含めた番組情報を取得し、視聴者に該番組情報を提示するため、該視聴者は様々なエリアワンセグの中から視聴したい番組を選択して視聴することが可能になる。
【００１７】
また、視聴者による番組ロック設定により、放送中のエリアワンセグの番組の放送周波数が変わっても、視聴者は特別な操作をすることなく視聴を継続することが可能になる。
【図面の簡単な説明】
【００１８】
【図１】本発明の模式図である。
【図２】本発明の処理の流れを示した図である。
【図３】本発明における中継局と受信端末の構成を示した図である。
【図４】本発明における番組周波数変更時の処理を示した図である。
【発明を実施するための形態】
【実施例】
【００１９】
本発明の好適な実施の形態について、図を参照して説明する。
【００２０】
図１は本発明にかかる実施の形態の模式図である。本発明においては中継局１０５の送信機からの送信電力は放送免許を必要としない程度の強度であり、エリア１０１は該送信電力でサービス出来る程度の広さである。つまり視聴者１１１は受信端末１０９を用いてエリア１０１の領域内でワンセグ放送を受信するものである。
【００２１】
図１に示すように、放送コンテンツを有する放送局１０３は中継局１０５に向けて第１の放送信号を発する。ここで、第１の放送信号を送信する伝送路は有線であっても無線であっても良い。有線であれば、例えばインターネット回線であっても良いし、専用線を引いたものであっても良い。
【００２２】
中継局１０５は周波数サーチ装置１０７を有しており、該周波数サーチ装置１０７はワンセグ放送帯域における未使用の周波数を探索する。未使用の周波数を発見したら周波数サーチ装置１０７は中継局１０５の図３における放送管理装置３０３に前記周波数を伝達し、送信アンテナから該周波数で第２の放送信号を発する。
【００２３】
ここで第１の放送信号と第２の放送信号は同一の放送内容であり、送信周波数が違うのみである。受信端末１０９は中継局１０５の放送管理装置３０３と任意の手段で通信しており、番組情報と放送周波数（またはチャンネル番号）を取得するため、視聴者１１１は番組を視聴することが可能になる。なお、任意の地点で受信できるエリアワンセグが複数局存在する場合は、番組情報も複数となる。
【００２４】
図２はさらに詳細に処理の流れを示した図である。放送局１０３は、放送すべき放送コンテンツを前記第１の放送信号として送信する（２０１）。前記のように第1の放送信号はインターネット回線や専用線などの有線あるいは既存の放送メディアを妨害しない周波数帯を用いた無線で中継局１０５に伝送し受信される（２０３）。
【００２５】
中継局１０５は事前に、あるいは受信（２０３）後に周波数サーチ装置１０７で空き周波数をサーチしており（２０７）、第１の放送信号と同じ放送内容で、周波数だけが前記発見された空き周波数に変換した信号であるところの第２の放送信号として再送信する（２０５）。
【００２６】
中継局１０５は前記第２の放送信号を再送信し（２０５）、さらに、用いた周波数とその周波数で放送する番組の内容を含んだ番組情報を送信する（２０９）。受信端末から見た中継局が複数ある場合は、番組情報も複数となり、視聴者による選択が必要となる。
【００２７】
受信端末１０９は前記送信された番組情報（２０９）を受信し（２１１）、ワンセグ表示画面を通じて該番組情報を視聴者に提示し、視聴者が希望し選択した番組の周波数の放送を受信し放映する（２１３）。
【００２８】
この際、視聴者１１１は前記番組情報の中から視聴したい番組を選択する（２１５）が、選択の手段は、任意の初期設定チャンネルのデータ放送領域等に表示される番組リストから選択する方法や、受信端末にインストールされた受信端末用放送アプリケーションを起動して番組情報リストを表示し、該リストから選択する方法など、様々な方法が含まれる。
【００２９】
図３は中継局１０５と受信端末１０９の構成を示した図である。中継局１０５は放送局１０３からの信号の受信や受信端末１０９との信号の送受信をするためのアンテナ３０１と、前記周波数サーチ装置１０７と、前記放送管理装置３０３を有している。
【００３０】
受信端末１０９は、中継局のアンテナ３０１から放送された第２の放送信号及び番組情報を受信するための受信装置３０５と、番組情報を表示し視聴者に放映番組を選択させることを目的とする放送アプリケーション３０７と、選択された番組を表示するワンセグ表示装置を有している。
【００３１】
なお、前記のように、視聴者が番組を選択する手段として、任意の初期設定チャンネルのデータ放送領域等に番組リストを表示して視聴者がそこから選択する方法も考えられるが、ここでは受信端末１０９にインストールされた放送アプリケーション３０７が中継局１０５の放送管理装置にアクセスし、該放送管理装置から番組リストを取得し、これを表示して視聴者が該リストから番組を選択する手段を記している。
【００３２】
つまり周波数サーチ装置１０７によって発見された空き周波数と、その周波数で放送する番組とを関連付けて番組情報として管理する放送管理装置３０３に、前記放送アプリケーション３０７が情報要求信号を伝送し、前記放送管理装置３０３は該要求に応じて番組情報を受信端末１０９に返信し、受信端末１０９に送られてきた複数の中継局の番組情報から成る番組情報リストから視聴者１１１が視聴する番組を選択するのである。
【００３３】
なお、本発明では、放送アプリケーション３０７が放送管理装置３０３に情報要求信号を伝送しなくとも、中継局１０５が定期的に番組情報を送信し続け、受信端末１０９は該番組情報を任意のタイミングで受信する方法も含むものである。
【００３４】
図４は何らかの作用によって、放送中に、中継局が用いる放送周波数が変わってしまった場合の処理を示したフローチャートである。
【００３５】
受信端末１０９は前記のように番組情報を取得し（Ｓ４０１）、視聴者は該番組情報から視聴したい番組を選択し、視聴を開始する（Ｓ４０３）。この際、視聴者が継続して該番組を視聴し続けたいと希望した場合には任意の手段で番組ロック操作をする（Ｓ４０５）。
【００３６】
番組ロック操作が為された場合、受信端末１０９においては番組情報の変化を常時監視し、内容が変わっていないかを判断する（Ｓ４０７）。番組情報が変化した場合は、放送周波数が変わったと判断し、番組ロック操作をされた時の番組情報を持つ周波数を番組情報サーチする（Ｓ４０９）。
【００３７】
番組情報サーチによって、番組ロック操作をされた時の番組情報を発見した場合には、放送周波数を、該番組情報を持つ周波数に移動する（Ｓ４１１）。この処理によって視聴者は特別な操作をすることなく、番組を継続して視聴することが出来る（Ｓ４１３）。
【００３８】
このように本発明は、周波数サーチ装置を有する中継局が、空き周波数を探してエリアワンセグを放送し、さらに放送周波数を含んだ番組情報を送信し、受信端末が該番組情報を受信することによって、空き周波数が何Ｈｚであるのかを知らずとも、視聴者は希望する番組を視聴することができるシステムを提供するものである。
【００３９】
そして前記番組情報の送受信は、中継局の放送管理装置と受信端末にインストールされた放送アプリケーション間で為される方法や、任意のチャンネルのデータ放送領域等で送信され、視聴者が受信端末を操作して選択する手段などを含むものである。
【符号の説明】
【００４０】
１０１…エリア、  １０３…エリアワンセグの放送局、
１０５…中継局、  １０７…周波数サーチ装置、
１０９…受信端末、  １１１…視聴者、
２０１…エリアワンセグの放送局からの放送波送信、
２０３…中継局による放送波受信、  ２０５…中継局による放送波再送信、
２０７…中継局による空き周波数サーチ、  ２０９…中継局からの番組情報送信、
２１１…受信端末による番組情報受信、  ２１３…受信端末による放送波受信、
２１５…視聴者による番組選択、  ２１７…視聴者の番組視聴、
３０１…アンテナ、  ３０３…放送管理装置、
３０５…受信装置、  ３０７…放送アプリ、
３０９…ワンラグ表示装置。
【図１】
2012085099.tif 000003
【図２】
2012085099.tif 000004
【図３】
2012085099.tif 000005
【図４】
2012085099.tif 000006